(57)【要約】【課題】  限られた空間内で冷却器の着霜による冷却能力の低下を抑制すること。【解決手段】  冷蔵温度室および冷凍温度室に循環送風される空気を冷却する冷却器と、冷却器の下方に冷却器の長手方向に沿って延在させて形成され、冷蔵温度室および冷凍温度室の戻り空気を冷却器に導く冷却器入側空気流路と、冷却器入側空気流路の長手方向の少なくとも一端に連通された冷蔵温度室の戻り空気流路と、冷却器入側空気流路の長手方向に沿って配置された直状の除霜ヒータ１９と、除霜ヒータ１９の長手方向に沿って配置され冷却器入側空気流路から冷却器に導かれる空気流れを整流する整流部材４５とを備え、この整流部材４５は、冷蔵温度室からの戻り空気６１が流入する戻り空気流路側の流路抵抗が冷却器入側空気流路の奥側の流路抵抗より小さくなるように形成する。【選択図】    図４
2006112656.tif 000002
【特許請求の範囲】
【請求項１】
冷蔵温度室および冷凍温度室に循環送風される空気を冷却する冷却器と、該冷却器の下方に該冷却器の長手方向に沿って延在させて形成され、前記冷蔵温度室および冷凍温度室の戻り空気を前記冷却器に導く冷却器入側空気流路と、該冷却器入側空気流路の長手方向の少なくとも一端に連通された前記冷蔵温度室の戻り空気流路と、前記冷却器入側空気流路の長手方向に沿って配置された直状の除霜ヒータと、前記除霜ヒータの長手方向に沿って配置され前記冷却器入側空気流路から前記冷却器に導かれる空気流れを整流する整流部材とを備え、該整流部材は、前記戻り空気流路側の流路抵抗が前記冷却器入側空気流路の奥側の流路抵抗より小さく形成されてなることを特徴とする冷蔵庫。
【請求項２】
前記整流部材は、前記除霜ヒータの長手方向に帯状部材を螺旋状に巻き付けて形成され、該帯状部材は、前記戻り空気流路側のピッチが前記冷却器入側空気流路の奥側のピッチより大きく形成されてなることを特徴とする請求項１に記載の冷蔵庫。
【請求項３】
前記整流部材は、前記除霜ヒータの長手方向に帯状部材を螺旋状に巻き付けて形成され、該帯状部材は、前記戻り空気流路側のフィン径が前記冷却器入側空気流路の奥側のフィン径より小さく形成されてなることを特徴とする請求項１に記載の冷蔵庫。
【請求項４】
前記整流部材は、前記除霜ヒータの長手方向に沿って伸縮自在に形成され、前記除霜ヒータの軸方向に前記帯状部材を固定する突起が形成されてなることを特徴とする請求項２または３に記載の冷蔵庫。
【請求項５】
前記整流部材は、該整流部材を引き伸ばす方向に沿って中心孔径が大きく形成されてなる請求項２乃至４のいずれかに記載の冷蔵庫。
【発明の詳細な説明】
【技術分野】
【０００１】
本発明は、除霜ヒータを備えた冷蔵庫に関する。
【背景技術】
【０００２】
一般に、冷蔵庫は、冷蔵温度室と冷凍温度室とを備えており、各室の温度を所定温度に冷却するため、例えば、冷却室で生成された冷気をダンパの開閉などにより各室に分配している。冷却室は、通常、冷蔵庫の背面の高さ方向に延在させて薄型に形成され、この内部には、例えば、冷却器、除霜ヒータ、冷気循環ファンなどが設けられている。ここで、除霜ヒータは、冷却器の下方に位置させて設けられ、冷却器に付着する霜を融解させて除去するものである。一方、冷気循環ファンは、冷却器の上方に設置され、冷却器と熱交換して冷却された空気を冷蔵温度室と冷凍温度室の各室に向けて送風する。冷却室から各室に供給された空気は、貯蔵される食品類を冷却した後、それぞれ冷気の戻りダクトを通じて冷却室の底部に戻され、再び冷却器によって冷却されて循環送風される。
【０００３】
ところで、近年、冷蔵庫においては、設置時の省スペース化と内容積の拡大が要望されている。このため、例えば、冷凍温度室を最下段に配置する冷蔵庫の場合、冷蔵温度室から冷却室に空気を戻す空気戻りダクトは、内容積を確保するため、冷蔵温度室から庫内の隅に沿って配設され、冷却室の底部の側方に接続するように構成されている。一方、冷凍温度室から戻される空気は、冷却室の底部の中央部から流入されている。
【０００４】
このように、冷蔵温度室からの戻り空気は、底部の側方から冷却室内に流入するため、冷凍温度室からの戻り空気と混合されて複雑な流れとなり、冷却室の底部の長手方向に流速の偏りを生じる。ところで、冷蔵温度室から戻される空気は、水分を含んでいることから、冷却室内で流れが不均一になると、冷却器の一部分に霜が付着し易くなる。例えば、冷蔵温度室からの空気の流入側の冷却器の表面に霜が集中して付着する。このように、冷却器の表面に、局所的に着霜量が増加すると、その部分の空気の流れが悪くなるだけでなく、冷却能力の低下が早くなる。
【０００５】
そこで、冷却室の下方に冷蔵温度室と冷凍温度室とから戻される空気を混合する空間を形成し、冷蔵温度室から戻される空気を予め混合させてから冷却器に均一に流入させることが提案されている（特許文献１参照）。
【０００６】
【特許文献１】特開平７−２７００２８号公報（第３−４頁、第１、２図）
【発明の開示】
【発明が解決しようとする課題】
【０００７】
しかしながら、上述したように、冷蔵庫において、設置時の省スペース化と内容積の拡大が行われると、例えば、特許文献１に記載の空間を冷却器の下方に設けることは設計上困難となる場合がある。
【０００８】
本発明は、限られた空間内で冷却器の着霜による冷却能力の低下を抑制することを課題とする。
【課題を解決するための手段】
【０００９】
本発明は、上記課題を解決するため、冷蔵温度室および冷凍温度室に循環送風される空気を冷却する冷却器と、この冷却器の下方に冷却器の長手方向に沿って延在させて形成され、冷蔵温度室および冷凍温度室の戻り空気を冷却器に導く冷却器入側空気流路と、冷却器入側空気流路の長手方向の少なくとも一端に連通された冷蔵温度室の戻り空気流路と、冷却器入側空気流路の長手方向に沿って配置された直状の除霜ヒータと、除霜ヒータの長手方向に沿って配置され冷却器入側空気流路から冷却器に導かれる空気流れを整流する整流部材とを備え、この整流部材は、戻り空気流路側の流路抵抗が冷却器入側空気流路の奥側の流路抵抗より小さく形成されることを特徴としている。
【００１０】
すなわち、従来から設置されている除霜ヒータの長手方向に空気流れを整流する整流部材を形成し、この整流部材の流路抵抗を長手方向で異ならせることにより、整流部材に流入される冷蔵温度室からの戻り空気は、冷却器の長手方向で均一な流速となって冷却器に導かれる。この結果、冷却器には霜が均一に付着するため、冷却能力の低下を抑制できる。ここで、整流部材の長手方向の流路抵抗は、冷蔵温度室からの戻り空気における除霜ヒータの長手方向の流速分布に対応させて調整するようにする。つまり、冷蔵温度室からの戻り空気の流速が比較的遅くなる戻り空気流路側の流路抵抗を小さくする。
【００１１】
具体的に、整流部材は、除霜ヒータの長手方向に帯状部材を螺旋状に巻き付けて形成し、この帯状部材は、戻り空気流路側のピッチが冷却器入側空気流路の奥側のピッチより大きくなるように形成する。すなわち、除霜ヒータの外周に螺旋状のフィンを形成し、このフィンピッチに変化を設けることにより、流路抵抗を調整する。ここでは、冷蔵温度室の戻り空気流路側のフィンピッチを大きくすることにより、流路抵抗を減少させている。
【００１２】
また、上記のフィンピッチに代えて、帯状部材は、冷蔵温度室の戻り空気流路側のフィン径が冷却器入側空気流路の奥側のフィン径より小さくなるように形成してもよい。つまり、フィン径に変化を設けることにより流路抵抗を調整する。ここでは、冷蔵温度室の戻り空気流路側のフィン径を小さくすることにより、流路抵抗を減少させている。
【００１３】
また、整流部材は、除霜ヒータの長手方向に沿って伸縮自在に形成し、除霜ヒータの軸方向に帯状部材を固定する突起を形成することが好ましい。これによれば、例えば、除霜ヒータの外面に設置したフィンを長手方向に移動させ、フィンの両端を突起で固定すると共に、任意の位置でフィンを固定することにより、フィンピッチなどを自在に変化させることができる。ここで、整流部材は、この整流部材を引き伸ばす方向に沿って中心孔径を大きく形成することが好ましい。これによれば、フィンを移動させる際に、フィンと除霜ヒータの外面との摩擦が小さくなるから、フィンの移動が容易になる。
【発明の効果】
【００１４】
本発明によれば、限られた空間内で、冷却器の着霜による冷却能力の低下を抑制することができる。
【発明を実施するための最良の形態】
【００１５】
（第１の実施形態）
以下、本発明を適用してなる冷蔵庫の第１の実施形態について図を参照して説明する。図１は、本実施形態の冷蔵庫の構成を示す縦断面図、図２は、図１の除霜ヒータ周辺部を拡大して示す縦断面図、図３は、図１の除霜ヒータ周辺部を横方向から拡大して示す横断面図、図４は、図１の除霜ヒータの斜視図である。
【００１６】
本実施形態の冷蔵庫は、図１に示すように、扉を備えた断熱性の冷蔵庫本体１の内部に、冷蔵室３と野菜室５とからなる冷蔵温度室７、冷凍室９と冷凍室１１とからなる冷凍温度室１３、冷却室１５を区画して形成している。ここで、冷凍温度室１３は、冷蔵温度室７の下方に配置されている。
【００１７】
冷却室１５は、冷蔵庫本体１の背面の高さ方向に延在して薄型に形成され、その内部に、冷却器１７、除霜ヒータ１９、ファン２１が設けられている。冷却器１７は、冷凍配管を通じて冷蔵庫本体１の外に配設される圧縮機２３、凝縮器２５、絞り２７と順次接続して冷凍サイクルを構成している。つまり、冷却器１７は、空気を冷却する蒸発器として機能するものであり、ここで生成された冷気は、後流側のファン２１の回転に伴い、冷蔵温度室７と冷凍温度室９の室内に供給されるようになっている。
【００１８】
冷却室１５と冷蔵温度室７とを接続する冷却流路の途中にはダンパ２９が設けられている。このダンパ２９が開の場合、冷却器１７により冷却された冷気は、一方で冷気流路３１を通じて吐出口３３から冷蔵室３に吹き込まれ、他方で冷気流路３５を通じて吐出口３７ａ、３７ｂから冷凍室９，１１に吹き込まれる。冷蔵室３と野菜室５を順次冷却した冷気は、後述する専用ダクトを通じて冷却室１５に吹き戻される一方、冷凍室９、１１を冷却した冷気は、冷凍温度室戻りダクト３９を通じて冷却室１５に吹き戻される。ダンパ２９が閉の場合は、冷却室１５と冷蔵温度室７とを接続する冷却流路が閉じられるため、冷凍温度室１３が単独で冷却される。
【００１９】
冷却器１７の下方には、図２に示すように、冷却器１７の長手方向（紙面に垂直方向）に沿って除霜用ヒータ１９が延在して設けられている。除霜用ヒータ１９は、直状のガラス管４１、保護カバー４３、整流フィン４５を備えて構成される。ガラス管４１の内部には電熱線が設けられ、通電により除霜ヒータ１９が発熱して冷却器１７の霜を融かすようになっている。
【００２０】
ガラス管４１の外周面には、螺旋状に巻かれた整流フィン４５が軸方向に沿って連続して形成されている。ガラス管４１の上部には、冷却器１７から落下する除霜水がガラス管４１の表面に直接当たらないように、ガラス管４１を保護する保護カバー４３が取り付けられている。除霜ヒータ１９の下方、つまり冷却室１５の底部には、除霜水を回収する桶５３が形成されている。
【００２１】
冷凍温度室戻りダクト３９は、冷却室１５の底部付近に接続され、図２の矢印で示すように、冷凍温度室１３からの戻り空気４９は、一部が保護カバー４３の上部を流れて冷却器１７に流入し、残りが除霜ヒータ１９の整流フィン４５を経由して冷却器１７に流入するようになっている。保護カバー４３は、戻り空気４９がスムーズに冷却室１７に流れ込むように、冷凍温度室戻りダクト３９側の傾斜面を凹状に形成している。冷却室１５は、断熱壁５１により庫外と仕切られる一方、冷気流路と吐出口からなるファンガード５５により隣室の例えば冷蔵温度室１３と仕切られている。
【００２２】
次に、冷蔵庫の背面側から見た除霜ヒータ１９の周辺構成を図３に示す。冷却器１７の下方には、図に示すように、除霜ヒータ１９が冷却器１７の長手方向に延在して設けられている。また、冷却室１５の上方には、ファン２１が冷却室１５の横方向の略中央部に設置されている。冷却室１５の側方には、冷蔵温度室７からの戻り空気６１が通る冷蔵温度室戻りダクト３８が略鉛直方向に延在して配設され、冷却室１５の底部側面に接続されている。また、図示されていないが、冷凍温度室戻りダクト３９は、冷却室１５の底部中央に接続されている。
【００２３】
除霜ヒータ１９は、図４に示すように、整流フィン４５のフィンピッチが軸方向に分布して配置されている。すなわち、冷蔵温度室７からの戻り空気６１が流入する方の整流フィン４５のフィンピッチ７１を大きくし、他方を細かいフィンピッチ７３にして配置している。
【００２４】
次に、本実施形態の冷蔵庫の作用を説明する。まず、冷蔵温度室７の戻り空気６１は、冷蔵温度室戻りダクト３８を通過して冷却室１５の底部側面から流入する。つまり、冷却室１５に流入する戻り空気６１は、冷却室１５のファン２１に対し、斜め下方から流入する。これに対し、冷凍温度室１３の戻り空気４９は、冷却室１５の底部中央から流入するため、ファン２１に対し、冷却器１７の長手方向でほぼ平行に流入するようになっている。
【００２５】
ここで、本実施形態では、冷蔵庫の運転モードとして、冷蔵温度室７と冷凍温度室１３を同時に冷却するモードと、冷凍温度室１３のみを冷却するモードの２種類を備えており、これらの運転モードは、庫内の設定温度に基づいて適宜切り替えられる。したがって、冷凍温度室１３のみを冷却するモードの場合、冷凍温度室１３の戻り空気４９は、冷却器１５の長手方向でほぼ平行に流入する。
【００２６】
これに対し、冷蔵温度室７と冷凍温度室１３を同時に冷却するモードの場合、冷蔵温度室７の戻り空気６１と冷凍温度室１３の戻り空気４９は、それぞれ異なる方向から同時に流入し、除霜ヒータ１９の近傍で混合されるため、空気の流れが複雑になる。さらに、冷蔵温度室７の戻り空気６１と冷凍温度室１３の戻り空気４９は風量が異なるため、冷却器１７に流入する空気は長手方向で流速分布が生じ、特定箇所に霜が付着し易くなる。つまり、戻り空気６１は、冷却器１７に対して斜め横方向から流入するため、例えば、冷蔵温度室７の戻りダクト３８側の領域７５に霜が着き易くなる。
【００２７】
そこで、本実施形態では、除霜ヒータ１９の外周面に軸方向で螺旋状の整流フィン４５を形成し、この整流フィン４５の戻り空気６１が流入する方のフィンピッチ７１を他方のフィンピッチ７３より大きく形成している。すなわち、整流フィン４５は、戻り空気６１の流入側の流路抵抗を他方より小さくしているから、戻り空気６１は、流速が比較的遅くなる流入側において流速の低下が抑制される。これにより、整流フィン４５を通過した戻り空気６１は、流速の偏りが緩和されてほぼ平行に冷却器１７に流入するようになるため、冷却器１７に付着する霜が均一化され、冷蔵庫の冷却能力の低下を抑制できる。なお、本実施形態では、戻り空気６１の流速分布に対応させて、整流フィン４５のフィンピッチ７１と７３の比率などを調整し、流路抵抗を適宜調整できる。
【００２８】
ここで、整流フィン４５にフィンピッチ分布を形成する組み立て方を説明する。まず、整流フィン４５の中心付近の孔４７にガラス管４１を挿入し、ガラス管４１の外周面に整流フィン４５を形成した後、保護カバー４３をガラス管４１に取り付ける。ここで、整流フィン４５は、保護カバー４３の両端に設けた突起８１、８３を利用して、ガラス管表面に両端部を固定する。そして、ガラス管４１の外周面に設けた整流フィン４５をガラス管外周面に沿って軸方向に移動させ、突起８１と８３の間に設けた新たな突起８５で固定することにより、フィンピッチ分布を形成する。すなわち、整流フィン４５の両端を突起８１，８３で固定し、突起８５の設置位置を任意で設定することにより、所定のフィンピッチ分布を容易に形成できる。本実施形態では、突起８１と８５との間にフィンピッチ７３を形成し、突起８５と８３との間にフィンピッチ７３より大きいフィンピッチ７１を形成している。
【００２９】
ここで、整流フィン４５は、整流フィン４５を軸方向に引き伸ばす方向に沿って中心の孔径を大きく形成することが好ましい。これによれば、整流フィン４５を移動させる際に、整流フィン４５とガラス管４１との摩擦が小さくなるから、整流フィン４５の移動が滑らかになり、フィンピッチの調整が容易になる。
【００３０】
以上述べたように、本実施形態によれば、ガラス管４１の外周面に軸方向でフィンピッチの異なる整流フィン４５を備えているから、冷却室１５内に流入する戻り空気６１と戻り空気４９は、冷却器１７に流入する前に、整流フィン４５によって冷却器１７の長手方向の流速が均一になる。このため、冷却器１７の局所的な霜の成長が抑制され、冷蔵庫の冷却性能の低下を抑制できる。
【００３１】
また、本実施形態は、従来から設置される除霜ヒータ１９に整流フィン４５を設けることで、冷却室１５の空間を有効利用し、さらには、除霜ヒータと保護カバー４３を一体的に組み合わせたものであるから、設置時の省スペース化と内容積の拡大を図る冷蔵庫の目的に適したものとなる。
【００３２】
なお、本実施形態の除霜ヒータ１９は、ガラス管４１の内部に伝熱線を配したものを一例として挙げたが、これに限られるものではなく、例えば、ガラス管４１の替わりに金属管を用いてもよい。
【００３３】
（第２の実施形態）
以下、本発明を適用してなる冷蔵庫の第２の実施形態について図を参照して説明する。図５は、本実施形態の除霜ヒータ８７を示す斜視図である。本実施形態では、第１の実施形態と同様の構成は、同一の符号を付して説明を省略する。
【００３４】
本実施形態の除霜ヒータ８７は、軸方向でフィンピッチと外径が異なる整流フィン８９がガラス管４１の外周面に沿って連続的に形成されている。この整流フィン８９は、突起８１と８５との間に形成されるフィンピッチ７３と、突起８５と８３との間に形成されるフィンピッチ７１に対応させて、それぞれ異なるフィン外径を備えている。つまり、冷蔵温度室７の戻り空気６１が流入する方のフィンピッチ７１で形成される整流フィン８９のフィン外径を、他方のフィンピッチ７３で形成される整流フィン８９のフィン外径より小さくしている点で、第１の実施形態と相違する。
【００３５】
本実施形態の整流フィン８９は、基本的に第１の実施形態と同様の効果が得られるが、冷蔵温度室７からの戻り空気６１が流入する方の流路抵抗を一層小さくして、軸方向の流路抵抗の差を大きくできるため、戻り空気４９と戻り空気６１は、冷却器１７に流入する前に冷却器１７の長手方向で流速が均一になる。このため、冷却器１７に付着する霜を一層均一化させ、冷蔵庫の冷却性能の低下を抑制できる。
【００３６】
ここで、除霜ヒータ８７の組み立ては、まず、整流フィン８９の中心部付近の孔４７にガラス管４１を挿入し、整流フィン８９の一端を突起８１に引っ掛けて固定した状態で、整流フィン８９の他端をガラス管４１の外周面上でスライドさせ、突起８３に引っ掛けて固定する。そして、外径の異なる境界部を任意の位置の突起８５に引っ掛けることにより、フィンピッチの分布を形成できる。なお、本実施形態においても、第１の実施形態と同様に、整流フィン８９を軸方向に引き伸ばす方向に沿って中心の孔径を大きく形成することが好ましい。
【００３７】
また、本実施形態の整流フィン８９は、軸方向に一体的に形成したものであるが、これに限定されるものではなく、例えば、フィン外径が異なる別個の整流フィンを軸方向に隣接させて設けた後、フィンピッチを適宜調整するようにしてもよい。
【００３８】
（第３の実施形態）
以下、本発明を適用してなる冷蔵庫の第３の実施形態について図を参照して説明する。図６は、本実施形態の除霜ヒータ９５を示す斜視図である。本実施形態では、他の実施形態と同様の構成は、同一の符号を付して説明を省略する。
【００３９】
本実施形態の除霜ヒータ９１は、軸方向でフィン外径が連続的に変化する整流フィン９３がガラス管４１の外周面に沿って連続的に形成されている。つまり、整流フィン９３は、他の実施形態と同様、突起８１と８５との間にフィンピッチ７３、突起８５と８３との間にフィンピッチ７１をそれぞれ形成すると共に、冷蔵温度室戻りダクト３８の方に向かってフィン外径を連続的に小さくする点で、前記の実施形態と相違する。
【００４０】
本実施形態では、基本的に第１，２の実施形態と同様の効果が得られるが、戻り空気６１が流入する方向に向かって連続的に流路抵抗を小さくしたものであるから、戻り空気４９と戻り空気６１は、冷却器１７に流入する前に混合されて冷却器１７の長手方向で流速が均一になる。このため、冷却器１７に付着する霜が一層均一になり、冷蔵庫の冷却性能の低下を抑制できる。
【００４１】
ここで、除霜ヒータ９１の組み立ては、まず、整流フィン９３の一端を突起８１に引っ掛けて固定した状態で、他端をガラス管４１表面上でスライドさせて、突起８３に引っ掛けて固定する。そして、フィンピッチを異ならせる境界部を、任意位置の突起８５に引っ掛けることにより、フィンピッチの分布を形成できる。なお、本実施形態においても、他の実施形態と同様に、整流フィン９３を軸方向に引き伸ばす方向に沿って中心の孔径を大きく形成することが好ましい。
【００４２】
また、本実施形態の整流フィン９３は、軸方向に一体的に形成したものであるが、これに限定されるものではなく、例えば、フィン外径が冷蔵温度室戻りダクト３８の方に向かって連続的に小さくなるように、別個の整流フィンを軸方向に隣接させて設けた後、フィンピッチを適宜調整するようにしてもよい。
【００４３】
（第４の実施形態）
以下、本発明を適用してなる冷蔵庫の第４の実施形態について図を参照して説明する。図７は、本実施形態の除霜ヒータ９５を示す斜視図、図８は、図７の側断面図である。本実施形態では、他の実施形態と同様の構成は、同一の符号を付して説明を省略する。
【００４４】
本実施形態の除霜ヒータ９７は、図に示すように、保護カバー９９と整流フィン１０１を一体的に形成（横断面が略コ字状）したものを、ガラス管４１の上部から嵌め込んで組み合わせている点で、他の実施形態と相違する。整流フィン１０１は、他の実施形態と同様、冷蔵温度室１３の戻り空気４９が流入する方のフィンピッチ７１を他のフィンピッチ７３より大きくしている。さらに、整流フィン１０１は、冷蔵温度室戻りダクト３８の方に向かってフィン面積を小さくしてもよい。
【００４５】
本実施形態では、基本的に第１，２の実施形態と同様の効果が得られ、戻り空気４９と戻り空気６１は、冷却器１７に流入する前に冷却器１７の長手方向で流速が均一になるため、冷却器１７に付着する霜が一層均一化され、冷蔵庫の冷却性能の低下を抑制できる。また、保護カバー９９と整流フィン１０１が一体的に形成されているから、組み立て作業性を一層向上できる。
【図面の簡単な説明】
【００４６】
【図１】本発明を適用してなる第１の実施形態における冷蔵庫を示す縦断面図である。
【図２】図１の除霜ヒータ周辺部を拡大して示す縦断面図である。
【図３】図１の除霜ヒータ周辺部を横方向から拡大して示す横断面図である。
【図４】図１の除霜ヒータの斜視図である。
【図５】本発明を適用してなる第２の実施形態における除霜ヒータを示す斜視図である。
【図６】本発明を適用してなる第３の実施形態における除霜ヒータを示す斜視図である。
【図７】本発明を適用してなる第４の実施形態における除霜ヒータを示す斜視図である。
【図８】図７の側断面図である。
【符号の説明】
【００４７】
７  冷蔵温度室
１３  冷凍温度室
１５  冷却室
１７  冷却器
１９，８７，９１，９７  除霜ヒータ
２１  ファン
２９  ダンパ
３８  冷蔵温度室戻りダクト
３９  冷凍温度室戻りダクト
４１  ガラス管
４３  保護カバー
４５，８９，９３，１０１  整流フィン
４９  戻り空気
６１  戻り空気
７１，７３  フィンピッチ
８１，８３，８５  突起
【図１】
2006112656.tif 000003
【図２】
2006112656.tif 000004
【図３】
2006112656.tif 000005
【図４】
2006112656.tif 000006
【図５】
2006112656.tif 000007
【図６】
2006112656.tif 000008
【図７】
2006112656.tif 000009
【図８】
2006112656.tif 000010